(57)【特許請求の範囲】
【請求項１】
レンズ鏡筒を備えるレンズ装置において、
前記レンズ鏡筒に取り付けられるとともに前記レンズ装置の絞り調整を行うため、または、前記レンズ装置の焦点調整を行うため、あるいは、前記レンズ装置の倍率調整を行うための制御ユニットと、前記制御ユニットに一端が接続されるケーブルとを備えるとともに、
前記レンズ鏡筒の径方向の外側から前記ケーブルの一部が巻かれて収容されるケーブル収容溝が、前記レンズ鏡筒の周方向に沿って、かつ、露出するように形成され、さらに、前記レンズ鏡筒の光軸方向の一方側から前記ケーブル収容溝に通じるとともに前記ケーブルの一部が配置されるケーブル引込溝が形成されていることを特徴とするレンズ装置。
【請求項２】
前記光軸方向における前記レンズ鏡筒の一端側に固定される環状のリング部材を備え、
前記ケーブル収容溝は、前記リング部材の外周側に形成されていることを特徴とする請求項１記載のレンズ装置。
【請求項３】
前記リング部材に、前記ケーブル引込溝が形成され、
前記ケーブル引込溝は、前記リング部材の外周面から前記径方向の内側に向かって窪むように形成されていることを特徴とする請求項２記載のレンズ装置。
【請求項４】
前記周方向における前記ケーブル収容溝の一部を前記径方向の外側から覆う覆部を備えることを特徴とする請求項１から３のいずれかに記載のレンズ装置。
【請求項５】
前記覆部と前記ケーブル引込溝とは、前記周方向において隣り合うように配置されていることを特徴とする請求項４記載のレンズ装置。
【請求項６】
前記レンズ鏡筒を外周側から覆う飾り筒を備え、
前記覆部は、前記光軸方向における前記飾り筒の一端に形成されていることを特徴とする請求項４または５記載のレンズ装置。
【請求項７】
前記光軸方向の一方を第１方向とすると、前記レンズ鏡筒の前記第１方向端側に固定される環状のリング部材を備え、
前記ケーブル収容溝は、前記リング部材の外周側に形成され、
前記リング部材は、前記ケーブル収容溝の前記第１方向側の側面を構成する環状の壁部を備え、
前記壁部の外周側の、前記覆部の周辺部分には、前記径方向の内側に向かって切り欠かれた切欠き部が形成されていることを特徴とする請求項４から６のいずれかに記載のレンズ装置。
【請求項８】
前記レンズ装置は、撮像装置に取付可能となっており、
前記レンズ装置が前記撮像装置に取り付けられた状態では、前記レンズ鏡筒と前記撮像装置との間に前記リング部材が配置されていることを特徴とする請求項２、３または７記載のレンズ装置。
【発明の詳細な説明】
【技術分野】
【０００１】
本発明は、撮像装置に取り付けられて使用されるレンズ装置に関する。
【背景技術】
【０００２】
従来、監視カメラに取り付けられて使用される監視カメラ用のレンズ装置が知られている（たとえば、特許文献１参照）。特許文献１に記載のレンズ装置は、レンズ鏡筒とリング部材とマウント部材とを備えている。レンズ鏡筒には、レンズ装置の絞りを制御するためのアイリスメータが取り付けられており、アイリスメータには、ケーブル（アイリスケーブル）の一端が接続されている。リング部材は、レンズ鏡筒の光軸方向におけるレンズ鏡筒の一端に固定されている。マウント部材は、レンズ鏡筒の光軸方向においてレンズ鏡筒との間にリング部材を挟んだ状態でリング部材に固定されている。
【０００３】
特許文献１に記載のレンズ装置では、リング部材に、径の異なる内壁リングと外壁リングとが形成されており、径方向における内壁リングと外壁リングとの間の部分は、ケーブルの一部が収容されるケーブル収容部となっている。外壁リングの２箇所には、切欠きが形成され、マウント部材には、ケーブル押え用の２個の突起が外壁リングの切欠きに対応する位置に形成されている。マウント部材は、ケーブル収容部を覆うように取り付けられている。マウント部材が取り付けられた状態では、外壁リングの切欠きとマウント部材の突起とによって、ケーブル収容部に向かってケーブルが引き込まれる開口とケーブル収容部からケーブルが引き出される開口とが形成されている。
【０００４】
特許文献１に記載のレンズ装置では、一方の開口から引き込まれたケーブルを内壁リングと外壁リングとの間のケーブル収容部に巻いた後に他方の開口から引き出すと、レンズ装置から引き出されるケーブルの引出し長さが短くなる。また、このレンズ装置では、一方の開口から引き込まれたケーブルをケーブル収容部に巻かずに他方の開口から引き出すと、レンズ装置から引き出されるケーブルの引出し長さが長くなる。このように、特許文献１に記載のレンズ装置では、レンズ装置から引き出されるケーブルの引出し長さを調整することが可能となっている。
【先行技術文献】
【特許文献】
【０００５】
【特許文献１】特許第５７０６０４９号公報
【発明の概要】
【発明が解決しようとする課題】
【０００６】
特許文献１に記載のレンズ装置では、上述のように、レンズ装置から引き出されるケーブルの引出し長さを調整することが可能となっている。しかしながら、このレンズ装置では、マウント部材によってケーブル収容部が覆われているため、マウント部材を取り外さないと、レンズ装置から引き出されるケーブルの引出し長さを調整することができない。したがって、このレンズ装置では、レンズ装置の組立後に、レンズ装置から引き出されるケーブルの引出し長さを変える際の作業が煩雑になる。
【０００７】
そこで、本発明の課題は、レンズ装置の組立後であっても、レンズ装置から引き出されるケーブルの引出し長さを容易に変えることが可能なレンズ装置を提供することにある。
【課題を解決するための手段】
【０００８】
上記の課題を解決するため、本発明のレンズ装置は、レンズ鏡筒を備えるレンズ装置において、レンズ鏡筒に取り付けられるとともにレンズ装置の絞り調整を行うため、または、レンズ装置の焦点調整を行うため、あるいは、レンズ装置の倍率調整を行うための制御ユニットと、制御ユニットに一端が接続されるケーブルとを備えるとともに、レンズ装置には、レンズ鏡筒の径方向の外側からケーブルの一部が巻かれて収容されるケーブル収容溝が、レンズ鏡筒の周方向に沿って、かつ、露出するように形成され、さらに、レンズ鏡筒の光軸方向の一方側からケーブル収容溝に通じるとともにケーブルの一部が配置されるケーブル引込溝が形成されていることを特徴とする。
【０００９】
本発明のレンズ装置では、レンズ鏡筒の径方向の外側からケーブルの一部が巻かれて収容されるケーブル収容溝が、レンズ鏡筒の周方向に沿って、かつ、露出するように形成されている。そのため、本発明では、レンズ装置を組み立てた後でも、露出しているケーブル収容溝にケーブルを巻いてケーブルの引出し長さを短くしたり、露出しているケーブル収容溝に巻かれているケーブルをケーブル収容溝から外してケーブルの引出し長さを長くしたりすることが可能になる。したがって、本発明では、レンズ装置の組立後であっても、レンズ装置から引き出されるケーブルの引出し長さを容易に変えることが可能になる。
【００１０】
また、本発明では、レンズ装置には、レンズ鏡筒の光軸方向の一方側からケーブル収容溝に通じるとともにケーブルの一部が配置されるケーブル引込溝が形成されているため、ケーブル引込溝を利用して光軸方向の一方側からケーブル収容溝にケーブルを引き込むことが可能になる。したがって、径方向の外側からケーブル収容溝にケーブルが引き込まれている場合と比較して、径方向でレンズ装置を小型化することが可能になる。また、径方向の外側からケーブル収容溝にケーブルが引き込まれている場合と比較して、レンズ装置の外観をすっきりさせることが可能になる。
【００１１】
本発明において、レンズ装置は、光軸方向におけるレンズ鏡筒の一端側に固定される環状のリング部材を備え、ケーブル収容溝は、リング部材の外周側に形成されていることが好ましい。このように構成すると、複雑な形状となりやすいレンズ鏡筒にケーブル収容溝が形成されている場合と比較して、ケーブル収容溝を容易に形成することが可能になる。
【００１２】
本発明において、たとえば、リング部材に、ケーブル引込溝が形成され、ケーブル引込溝は、リング部材の外周面から径方向の内側に向かって窪むように形成されている。
【００１３】
本発明において、レンズ装置は、周方向におけるケーブル収容溝の一部を径方向の外側から覆う覆部を備えることが好ましい。このように構成すると、ケーブルの一部を覆部に押し当てた状態で、ケーブル収容溝からケーブルを引き出すことが可能になる。したがって、ケーブル収容溝からのケーブルの引出し位置を安定させることが可能になる。
【００１４】
本発明において、覆部とケーブル引込溝とは、周方向において隣り合うように配置されていることが好ましい。このように構成すると、ケーブルの、ケーブル収容溝から引き出される部分を、ケーブルの、ケーブル引込溝から引き込まれた部分と覆部との間に挟んだ状態で、ケーブル収容溝からケーブルを引き出すことが可能になる。したがって、ケーブル収容溝からのケーブルの引出し位置をより安定させることが可能になる。
【００１５】
本発明において、レンズ装置は、たとえば、レンズ鏡筒を外周側から覆う飾り筒を備え、覆部は、光軸方向における飾り筒の一端に形成されている。この場合には、たとえば、覆部がレンズ鏡筒に形成されている場合と比較して、覆部を比較的容易に形成することが可能になる。
【００１６】
本発明において、光軸方向の一方を第１方向とすると、レンズ装置は、レンズ鏡筒の第１方向端側に固定される環状のリング部材を備え、ケーブル収容溝は、リング部材の外周側に形成され、リング部材は、ケーブル収容溝の第１方向側の側面を構成する環状の壁部を備え、壁部の外周側の、覆部の周辺部分には、径方向の内側に向かって切り欠かれた切欠き部が形成されていることが好ましい。このように構成すると、周方向におけるケーブル収容溝の一部が径方向の外側から覆部に覆われていても、切欠き部を利用して、容易に、ケーブル収容溝にケーブルを巻いたり、ケーブル収容溝に巻かれているケーブルをケーブル収容溝から外したりすることが可能になる。たとえば、覆部が形成される飾り筒がレンズ鏡筒およびリング部材に取り付けられた状態でも、切欠き部を利用して、容易に、ケーブル収容溝にケーブルを巻いたり、ケーブル収容溝に巻かれているケーブルをケーブル収容溝から外したりすることが可能になる。
【００１７】
本発明において、レンズ装置は、撮像装置に取付可能となっており、レンズ装置が撮像装置に取り付けられた状態では、レンズ鏡筒と撮像装置との間にリング部材が配置されていることが好ましい。このように構成すると、レンズ装置が撮像装置に取り付けられたときに、リング部材のケーブル収容溝から引き出されるケーブルが目立ちにくくなる。
【発明の効果】
【００１８】
以上のように、本発明のレンズ装置では、レンズ装置の組立後であっても、レンズ装置から引き出されるケーブルの引出し長さを容易に変えることが可能になる。
【図面の簡単な説明】
【００１９】
【図１】本発明の実施の形態にかかるレンズ装置の斜視図である。
【図２】図１に示すレンズ装置の、ケーブル収容溝からケーブルを取り外した状態の斜視図である。
【図３】図１に示すレンズ装置の分解斜視図である。
【図４】図１に示すレンズ装置の分解斜視図を図３と異なる方向から示す図である。
【発明を実施するための形態】
【００２０】
以下、図面を参照しながら、本発明の実施の形態を説明する。
【００２１】
（レンズ装置の構成）
図１は、本発明の実施の形態にかかるレンズ装置１の斜視図である。図２は、図１に示すレンズ装置１の、ケーブル収容溝３ａからケーブル５を取り外した状態の斜視図である。図３は、図１に示すレンズ装置１の分解斜視図である。図４は、図１に示すレンズ装置１の分解斜視図を図３と異なる方向から示す図である。なお、以下の説明では、図１等のＺ１方向側を被写体側となる「前」側とし、Ｚ２方向側を結像側となる「後（後ろ）」側とする。
【００２２】
本形態のレンズ装置１は、撮像装置（図示省略）に取り付けられて使用される。すなわち、レンズ装置１は、撮像装置に取付可能となっている。撮像装置は、たとえば、監視カメラである。レンズ装置１は、レンズ鏡筒２と、レンズ鏡筒２の後端側に固定される環状のリング部材３と、レンズ鏡筒２を外周側から覆う筒状の飾り筒４とを備えている。また、レンズ装置１は、レンズ装置１の絞りを自動で調整する機能（オートアイリス機能）を備えており、レンズ装置１の絞り調整を行うための制御ユニット（アイリス制御ユニット、図示省略）と、この制御ユニットに一端が接続されるケーブル（アイリスケーブル）５とを備えている。なお、撮像装置には、レンズ装置１の後端側が取り付けられており、レンズ装置１が撮像装置に取り付けられた状態では、レンズ鏡筒２と撮像装置との間にリング部材３が配置されている。
【００２３】
レンズ鏡筒２の内部には、複数のレンズが配置されている。また、レンズ鏡筒２の内部には、上述の制御ユニット（アイリス制御ユニット）が取り付けられている。また、レンズ鏡筒２には、レンズ装置１の焦点調整を行うための制御ユニットやレンズ装置１の倍率調整を行うための制御ユニットが取り付けられている。本形態の前後方向は、レンズ鏡筒２の光軸方向であり、後ろ方向（Ｚ２方向）は、レンズ鏡筒２の光軸方向の一方である第１方向となっている。以下の説明では、レンズ鏡筒２の光軸の周方向（円周方向）を「周方向」とし、レンズ鏡筒２の光軸と直交する方向を「径方向」とする。
【００２４】
飾り筒４は、略円筒状に形成されている。具体的には、飾り筒４は、段付の略円筒状に形成されており、大径部４ａと、大径部４ａよりも外径および内径が小さい小径部４ｂとから構成されている。小径部４ｂは、大径部４ａの前端側に繋がっており、飾り筒４の前端側部分を構成している。飾り筒４は、飾り筒４の光軸方向と前後方向とが一致するように配置されている。飾り筒４の後端には、後ろ側に向かって突出する小片状の１個の突出部４ｃが形成されている。すなわち、大径部４ａの後端には、突出部４ｃが形成されている。突出部４ｃは、周方向における大径部４ａの後端の一部から後ろ側に向かって突出している。また、突出部４ｃは、円弧状をなす曲板状に形成されている。径方向における突出部４ｃの内側面の曲率半径は大径部４ａの内周面の曲率半径と等しくなっており、径方向における突出部４ｃの外側面の曲率半径は大径部４ａの外周面の曲率半径と等しくなっている。
【００２５】
リング部材３は、レンズ鏡筒２と別体で形成されている。このリング部材３は、上述のように、環状に形成されている。具体的には、リング部材３は、円環状に形成されている。リング部材３の内周側には、レンズ鏡筒２の後端側部分が配置されている。リング部材３の後端側部分の外周側には、径方向の外側からケーブル５の一部が巻かれて収容されるケーブル収容溝３ａが形成されている。ケーブル収容溝３ａは、周方向に沿って形成されるとともにリング部材３の全周に亘って形成されており、ケーブル収容溝３ａにはケーブル５が周方向に沿って収容可能となっている。また、ケーブル収容溝３ａは、リング部材３の後端側部分の外周面から径方向の内側に向かって窪む四角溝状に形成されている。
【００２６】
リング部材３は、ケーブル収容溝３ａの前側の側面を構成する環状の壁部３ｂと、ケーブル収容部３ａの後ろ側の側面を構成する環状の壁部３ｃとを備えている。壁部３ｂ、３ｃは、円環状に形成されている。壁部３ｂの外径は、壁部３ｃの外径よりも大きくなっている。また、リング部材３は、壁部３ｂよりも前側に配置される円環状の前端部３ｄを備えている。前端部３ｄの外径は、壁部３ｂの外径よりも小さくなっている。また、前端部３ｄは、壁部３ｂの前面に繋がるように形成されている。周方向における前端部３ｄの一部には、前端部３ｄの前端面から後ろ側に向かって窪む凹部３ｅが形成されている。
【００２７】
また、リング部材３には、前側からケーブル収容溝３ａに通じるとともに、ケーブル５の一部が配置されるケーブル引込溝３ｆが形成されている。ケーブル引込溝３ｆは、ケーブル引込溝３ｆの長さ方向と前後方向とが一致するように形成されており、前側からケーブル収容溝３ａに繋がっている。また、ケーブル引込溝３ｆは、リング部材３の外周面から径方向の内側に向かって窪むように形成されている。具体的には、ケーブル引込溝３ｆは、壁部３ｂの外周面および前端部３ｄの外周面から内側に向かって窪むように形成されている。ケーブル引込溝３ｆは、前後方向における前端部３ｄの全域および壁部３ｂの全域に形成されている。また、ケーブル引込溝３ｆは、前後方向から見たときの形状が略Ｕ形状（底部が円弧となり側面が平面となる形状）となるように形成されている。前後方向から見たときに、径方向におけるケーブル引込溝３ｆの内側端は、径方向におけるケーブル収容溝３ａの内側の側面と重なっている。すなわち、ケーブル引込溝３ｆの底部の最深部とケーブル収容溝３ａの底部の最深部とが互いに同一面上に配置されている。そのため、ケーブル引込溝３とケーブル収容溝３ａｆとに収容されたケーブル５を、ケーブル引込溝３とケーブル収容溝３ａｆとの接続部分においても各溝の底部に接触させることが可能となっている。したがって、各溝の底部の接触部分におけるケーブル５の径方向の湾曲を抑えることができ、ケーブル５の曲げ負荷を軽減することが可能になる。
【００２８】
壁部３ｂには、飾り筒４の突出部４ｃの前端側の一部が係合する切欠き部３ｇが形成されている（図４参照）。切欠き部３ｇは、壁部３ｂの外周面から径方向の内側に向かって切り欠かれるように形成されている。また、切欠き部３ｇは、周方向において、ケーブル引込溝３ｆと隣り合うように形成されている。すなわち、切欠き部３ｇに係合する突出部４ｃとケーブル引込溝３ｆとは、周方向において隣り合うように配置されている。本形態では、切欠き部３ｇは、周方向において、わずかな隙間をあけた状態で、ケーブル引込溝３ｆと隣り合うように形成されている。
【００２９】
飾り筒４は、飾り筒４の後端と壁部３ｂの前面とが当接した状態で、かつ、切欠き部３ｇに突出部４ｃの前端側の一部が係合した状態でリング部材３に固定されている。リング部材３および飾り筒４がレンズ鏡筒２に取り付けられた状態では、ケーブル収容溝３ａは、飾り筒４よりも後ろ側に配置されており、レンズ装置１の外部に露出している。すなわち、ケーブル収容溝３ａは、外部に露出するように形成されている。また、飾り筒４がリング部材３に固定された状態では、突出部４ｃの後端側部分は、周方向におけるケーブル収容溝３ａの一部を径方向の外側から覆っている。本形態の突出部４ｃは、周方向におけるケーブル収容溝３ａの一部を径方向の外側から覆う覆部である。
【００３０】
壁部３ｃの外周側には、径方向の内側に向かって切り欠かれた切欠き部３ｈが形成されている。切欠き部３ｈは、壁部３ｃの、ケーブル引込溝３ｆおよび切欠き部３ｇの後ろ側の部分に形成されている。すなわち、切欠き部３ｈは、壁部３ｃの、ケーブル引込溝３ｆおよび突出部４ｃの周辺部分に形成されている。また、切欠き部３ｈは、周方向におけるケーブル収容溝３ａの一部が突出部４ｃによって径方向の外側から覆われた状態であっても、ケーブル収容溝３ａにケーブル５を巻いたり、ケーブル収容溝３ａに巻かれたケーブル５をケーブル収容溝３ａから外したりすることが可能となるように、周方向および径方向において所定の範囲に形成されている。つまり、壁部３ｃの外周側と突出部４ｃとの間にケーブル５を通すことが可能な間隔が形成されるように切欠き部３ｈが形成されている。切欠き部３ｈによって、壁部３ｃの外周側と突出部４ｃとの間に間隔が形成されることで、この間隔を利用してケーブル５をケーブル収容溝３ａに入れたりケーブル収容溝３ａから取り出したりすることが可能となっている。
【００３１】
上述のように、ケーブル５の一端（基端）は、制御ユニットに接続されており、飾り筒４の内部に配置されている。ケーブル５の他端（先端）には、コネクタ６が取り付けられている。コネクタ６は、レンズ装置１が取り付けられる撮像装置に接続される。ケーブル５は、飾り筒４の内部からケーブル引込溝３ｆを介してケーブル収容溝３ａに引き込まれている。すなわち、ケーブル５は、飾り筒４よりも径方向の外側へ引き出されることなくケーブル収容溝３ａに引き込まれている。また、ケーブル収容溝３ａに引き込まれたケーブル５は、径方向の外側からケーブル収容溝３ａに１周分巻かれた後に、突出部４ｃに押し当てられた状態で（より具体的には、周方向における突出部４ｃの、ケーブル引込溝３ｆ側の側面に押し当てられた状態で）折り曲げられて、径方向の外側に引き出されている。あるいは、ケーブル収容溝３ａに引き込まれたケーブル５は、そのまま（すなわち、ケーブル収容溝３ａに巻かれることなく）折り曲げられて径方向の外側に引き出されている。
【００３２】
（本形態の主な効果）
以上説明したように、本形態では、径方向の外側からケーブル５の一部が巻かれて収容されるケーブル収容溝３ａがリング部材３に形成されており、このケーブル収容溝３ａは、レンズ装置１の外部に露出している。そのため、本形態では、レンズ装置１を組み立てた後でも、ケーブル収容溝３ａにケーブル５を巻いてケーブル５の引出し長さを短くしたり、ケーブル収容溝３ａに巻かれているケーブル５をケーブル収容溝３ａから外してケーブル５の引出し長さを長くしたりすることが可能になる。したがって、本形態では、レンズ装置１の組立後であっても、レンズ装置１から引き出されるケーブル５の引出し長さを容易に変えることが可能になる。また、本形態では、ケーブル収容溝３は、径方向の外側に溝の開口部を向けた状態で露出しているため、ケーブル５を、ケーブル収容溝３ａに収容する際やケーブル収容溝３ａから外す際に、ケーブル５を周方向に回せば良い。したがって、たとえば、溝の開口部が後方を向くようにケーブル収容溝３が形成されるとともに、後方からケーブル収容溝３にケーブル５を入れたり出したりする場合と比較して、ケーブル５のケーブル収容溝３ａへの収容および取り外しが容易になる。
【００３３】
本形態では、前側からケーブル収容溝３ａに通じるケーブル引込溝３ｆがリング部材３に形成されており、ケーブル５は、飾り筒４の内部からケーブル引込溝３ｆを介してケーブル収容溝３ａに引き込まれている。そのため、本形態では、径方向の外側からケーブル収容溝３ａにケーブル５が引き込まれている場合と比較して、径方向でレンズ装置１を小型化することが可能になるとともに、レンズ装置１の外観をすっきりさせることが可能になる。
【００３４】
本形態では、周方向におけるケーブル収容溝３ａの一部が突出部４ｃによって径方向の外側から覆われている。そのため、本形態では、ケーブル収容溝３ａに巻かれたケーブル５の一部を突出部４ｃに押し当てた状態で、ケーブル収容溝３ａからケーブル５を引き出すことが可能になる。したがって、本形態では、ケーブル収容溝３ａからのケーブル５の引出し位置を安定させることが可能になる。特に本形態では、突出部４ｃとケーブル引込溝３ｆとが周方向において隣り合うように配置されているため、図１に示すように、ケーブル５の、ケーブル収容溝３ａから引き出される部分を、ケーブル５の、ケーブル引込溝３ｆから引き込まれた部分と突出部４ｃとの間に挟んだ状態で、ケーブル収容溝３ａからケーブル５を引き出すことが可能になる。したがって、本形態では、ケーブル収容溝３ａからのケーブル５の引出し位置をより安定させることが可能になる。
【００３５】
本形態では、リング部材３の壁部３ｃに切欠き部３ｈが形成されている。また、切欠き部３ｈは、周方向におけるケーブル収容溝３ａの一部が突出部４ｃによって径方向の外側から覆われた状態であっても、ケーブル収容溝３ａにケーブル５を巻いたり、ケーブル収容溝３ａに巻かれたケーブル５をケーブル収容溝３ａから外したりすることが可能となるように、周方向および径方向において所定の範囲に形成されている。そのため、本形態では、レンズ鏡筒２およびリング部材３に飾り筒４が取り付けられた状態でも、切欠き部３ｈを利用して、容易に、ケーブル収容溝３ａにケーブル５を巻いたり、ケーブル収容溝３ａに巻かれているケーブル５をケーブル収容溝３ａから外したりすることが可能になる。
【００３６】
本形態では、ケーブル収容溝３ａは、リング部材３の外周側に形成されている。そのため、本形態では、複雑な形状となりやすいレンズ鏡筒２にケーブル収容溝３ａが形成されている場合と比較して、ケーブル収容溝３ａを容易に形成することが可能になる。また、本形態では、ケーブル収容溝３ａの一部を径方向の外側から覆う突出部４ｃが飾り筒４に形成されているため、レンズ鏡筒２やリング部材３に突出部４ｃが形成されている場合と比較して、突出部４ｃを比較的容易に形成することが可能になる。また、本形態では、レンズ装置１が撮像装置に取り付けられたときに、レンズ鏡筒２と撮像装置との間にリング部材３が配置されているため、リング部材３のケーブル収容溝３ａから引き出されるケーブル５が目立ちにくくなる。
【００３７】
（他の実施の形態）
上述した形態では、レンズ装置１の絞り調整を行うための制御ユニットにケーブル５の一端が接続されているが、レンズ装置１の焦点調整を行うための制御ユニットやレンズ装置１の倍率調整を行うための制御ユニットにケーブル５の一端が接続されていても良い。なお、レンズ鏡筒２には、焦点調整を行うための制御ユニットや倍率調整を行うための制御ユニットが取り付けられていなくても良い。
【００３８】
上述した形態では、レンズ装置１は、リング部材３を備えているが、レンズ装置１は、リング部材３を備えていなくても良い。この場合には、レンズ鏡筒２にケーブル収容溝３ａが形成される。また、この場合には、たとえば、レンズ鏡筒２にケーブル引込溝３ｆが形成される。なお、この場合において、レンズ鏡筒２にケーブル引込溝３ｆが形成されていなくても良い。また、上述した形態において、リング部材３にケーブル引込溝３ｆが形成されていなくても良い。レンズ装置１にケーブル引込溝３ｆが形成されていない場合には、径方向の外側へケーブル５を引き出すための引出し孔または引出し溝を飾り筒４に形成するとともに、飾り筒４から径方向の外側に引き出されたケーブル５を径方向の外側からケーブル収容溝３ａに引き込めば良い。
【００３９】
上述した形態では、突出部４ｃは、周方向においてケーブル引込溝３ｆと隣り合うように配置されているが、突出部４ｃは、周方向においてケーブル引込溝３ｆと隣り合っていなくても良い。また、上述した形態では、飾り筒４に１個の突出部４ｃが形成されているが、飾り筒４に複数個の突出部４ｃが形成されても良い。さらに、上述した形態では、壁部３ｃに切欠き部３ｈが形成されているが、壁部３ｃに切欠き部３ｈが形成されていなくても良い。
【００４０】
上述した形態では、飾り筒４に突出部４ｃが形成されているが、飾り筒４に突出部４ｃが形成されていなくても良い。この場合には、たとえば、壁部３ｂあるいはレンズ鏡筒２に突出部４ｃが形成されても良い。また、上述した形態では、レンズ装置１は、飾り筒４を備えているが、レンズ装置１は、飾り筒４を備えていなくても良い。この場合には、たとえば、周方向におけるケーブル収容溝３ａの一部を径方向の外側から覆う覆部がレンズ鏡筒２またはリング部材３の壁部３ｂに形成される。あるいは、この場合には、レンズ鏡筒２、リング部材３および飾り筒４と別体で形成される覆部が飾り筒４等に固定される。なお、周方向におけるケーブル収容溝３ａの一部を径方向の外側から覆う覆部がレンズ鏡筒２、リング部材３および飾り筒４に形成されていなくても良い。
【符号の説明】
【００４１】
１  レンズ装置
２  レンズ鏡筒
３  リング部材
３ａ  ケーブル収容溝
３ｃ  壁部
３ｆ  ケーブル引込溝
３ｈ  切欠き部
４  飾り筒
４ｃ  突出部（覆部）
５  ケーブル
Ｚ２  第１方向
【図１】
0006684563.tif 000002
【図２】
0006684563.tif 000003
【図３】
0006684563.tif 000004
【図４】
0006684563.tif 000005